(57)【要約】【課題】標識灯の正常な点灯制御ができない場合には標識灯を強制的に消灯させることができる標識灯点灯装置を提供する。【解決手段】遮断手段33の遮断動作により、標識灯12への点灯電源回路21からの点灯電源の供給を遮断する。遮断手段33の遮断解除動作により、標識灯12への点灯電源回路21からの点灯電源の供給を可能とする。動作制御回路19が、遮断手段33の遮断動作と遮断解除動作とを切り換え制御する。制御部29が、点灯制御回路30の動作を監視し、点灯制御回路30の異常を判定すると動作制御回路19により遮断手段33を遮断動作させる。【選択図】図１
2012204204.tif 000002
【特許請求の範囲】
【請求項１】
標識灯を点灯させる点灯電源を供給する点灯電源回路と；
標識灯への点灯電源回路からの点灯電源の供給を制御する点灯制御回路と；
外部と通信し、点灯制御信号を受信する通信手段と；
通信手段から点灯制御信号を入力し、点灯制御回路を制御する制御部と；
制御部に制御電源を供給する制御電源回路と；
遮断動作と遮断解除動作とを切り換え、遮断動作により標識灯への点灯電源回路からの点灯電源の供給を遮断し、遮断解除動作により標識灯への点灯電源回路からの点灯電源の供給を可能とする遮断手段と；
遮断手段の遮断動作と遮断解除動作とを切り換え制御する動作制御回路と；
を具備し、
制御部は、点灯制御回路の動作を監視し、点灯制御回路の異常を判定すると動作制御回路により遮断手段を遮断動作させる
ことを特徴とする標識灯点灯装置。
【請求項２】
標識灯を点灯させる点灯電源を供給する点灯電源回路と；
標識灯への点灯電源回路からの点灯電源の供給を制御する点灯制御回路と；
外部と通信し、点灯制御信号を受信する通信手段と；
通信手段から点灯制御信号を入力し、点灯制御回路を制御する制御部と；
制御部に制御電源を供給する制御電源回路と；
遮断動作と遮断解除動作とを切り換え、遮断動作により標識灯への点灯電源回路からの点灯電源の供給を遮断し、遮断解除動作により標識灯への点灯電源回路からの点灯電源の供給を可能とする遮断手段と；
遮断手段の遮断動作と遮断解除動作とを切り換え制御する動作制御回路と；
を具備し、
動作制御回路は、制御部の動作を監視し、制御部の異常を判定すると遮断手段を遮断動作させる
ことを特徴とする標識灯点灯装置。
【請求項３】
標識灯を点灯させる点灯電源を供給する点灯電源回路と；
標識灯への点灯電源回路からの点灯電源の供給を制御する点灯制御回路と；
外部と通信し、点灯制御信号を受信する通信手段と；
通信手段から点灯制御信号を入力し、点灯制御回路を制御する制御部と；
制御部に制御電源を供給する制御電源回路と；
遮断動作と遮断解除動作とを切り換え、遮断動作により標識灯への点灯電源回路からの点灯電源の供給を遮断し、遮断解除動作により標識灯への点灯電源回路からの点灯電源の供給を可能とする遮断手段と；
遮断手段の遮断動作と遮断解除動作とを切り換え制御する動作制御回路と；
を具備し、
遮断手段は、制御電源回路から電源の供給を受けて動作制御回路の制御により遮断動作と遮断解除動作との切り換えを可能とするとともに、制御電源回路からの電源の供給が停止すると遮断動作する
ことを特徴とする標識灯点灯装置。
【請求項４】
標識灯を点灯させる点灯電源を供給する点灯電源回路と；
標識灯への点灯電源回路からの点灯電源の供給を制御する点灯制御回路と；
外部と通信し、点灯制御信号を受信する通信手段と；
通信手段から点灯制御信号を入力し、点灯制御回路を制御する制御部と；
制御部に制御電源を供給する制御電源回路と；
遮断動作と遮断解除動作とを切り換え、遮断動作により標識灯への点灯電源回路からの点灯電源の供給を遮断し、遮断解除動作により標識灯への点灯電源回路からの点灯電源の供給を可能とする遮断手段と；
遮断手段の遮断動作と遮断解除動作とを切り換え制御する動作制御回路と；
を具備し、
制御部は、通信手段での通信動作を監視し、通信の異常を判定すると動作制御回路により遮断手段を遮断動作させる
ことを特徴とする標識灯点灯装置。
【請求項５】
標識灯と；
標識灯を点灯させる請求項１ないし４いずれか一記載の標識灯点灯装置と；
を具備していることを特徴とする標識灯システム。
【発明の詳細な説明】
【技術分野】
【０００１】
本発明の実施形態は、標識灯を点灯させる標識灯点灯装置、およびこの標識灯点灯装置を用いた標識灯システムに関する。
【背景技術】
【０００２】
従来、空港の滑走路や誘導路などに設置された複数の標識灯を点灯制御する標識灯システムでは、交流定電流を供給する交流定電流制御装置にゴム被覆絶縁変圧器を介して標識灯点灯装置が接続され、この標識灯点灯装置に複数の標識灯が直列に接続されている。そして、標識灯点灯装置によって複数の標識灯を点灯、消灯させることが可能になっている。
【０００３】
この標識灯システムには、例えば、滑走路状態表示灯システム（ＲＷＳＬ：Runway Status Lights System）があり、滑走路上で離陸を待機する航空機に対して他の航空機が滑走路上を横断していたり進入していた場合に離陸を待機させる離陸待機灯（ＴＨＬ：Take off Holding Lights）や、滑走路の横断を許可したり待機させる滑走路入口灯（ＲＥＬ：Runway Entrance Lights）などが含まれる。
【０００４】
このような標識灯システムにおいては、航空機の進行を許可するために消灯し、航空機の進行を待機させるために点灯する標識灯がある。
【先行技術文献】
【特許文献】
【０００５】
【特許文献１】特開２００６−１３９７５５号公報
【発明の概要】
【発明が解決しようとする課題】
【０００６】
航空機の進行を許可するために消灯し、航空機の進行を待機させるために点灯する標識灯では、標識灯点灯装置などの故障が発生し、標識灯の正常な点灯制御ができない場合、標識灯としてはパイロットに誤認識させないように標識灯を消灯することが好ましい。
【０００７】
本発明が解決しようとする課題は、標識灯の正常な点灯制御ができない場合には標識灯を強制的に消灯させることができる標識灯点灯装置、およびこの標識灯点灯装置を用いた標識灯システムを提供することである。
【課題を解決するための手段】
【０００８】
実施形態の標識灯点灯装置は、標識灯を点灯させる点灯電源を供給する点灯電源回路と；標識灯への点灯電源回路からの点灯電源の供給を制御する点灯制御回路と；外部と通信し、点灯制御信号を受信する通信手段と；通信手段から点灯制御信号を入力し、点灯制御回路を制御する制御部と；制御部に制御電源を供給する制御電源回路と；遮断動作と遮断解除動作とを切り換え、遮断動作により標識灯への点灯電源回路からの点灯電源の供給を遮断し、遮断解除動作により標識灯への点灯電源回路からの点灯電源の供給を可能とする遮断手段と；遮断手段の遮断動作と遮断解除動作とを切り換え制御する動作制御回路と；を具備し、制御部は、点灯制御回路の動作を監視し、点灯制御回路の異常を判定すると動作制御回路により遮断手段を遮断動作させるものである。
【発明の効果】
【０００９】
本発明によれば、標識灯の正常な点灯制御ができない場合には標識灯を強制的に消灯させることが期待できる。
【図面の簡単な説明】
【００１０】
【図１】一実施形態を示す標識灯点灯装置を用いた標識灯システムの回路図である。
【発明を実施するための形態】
【００１１】
以下、一実施形態を、図１を参照して説明する。
【００１２】
本実施形態の標識灯システム11は、例えば、空港の滑走路や誘導路などに設置された複数の標識灯12を点灯制御する航空標識灯システムである。この航空標識灯システムにおいては、例えば、滑走路状態表示灯システム（ＲＷＳＬ）があり、滑走路上で離陸を待機する航空機に対して他の航空機が滑走路上を横断していたり進入していた場合に離陸を待機させる離陸待機灯（ＴＨＬ）や、滑走路の横断を許可したり待機させる滑走路入口灯（ＲＥＬ）などが含まれる。
【００１３】
本実施形態では、このような標識灯システム11において、航空機の進行を許可するために消灯し、航空機の進行を待機させるために点灯する標識灯12を制御対象とする。
【００１４】
標識灯システム11では、交流定電流電源を供給する交流定電流制御装置13にゴム被覆絶縁変圧器14を介して標識灯点灯装置15が接続され、この標識灯点灯装置15に複数の標識灯12が直列に接続されている。また、標識灯点灯装置15は、この標識灯点灯装置15に対して点灯制御信号を含む制御信号を出力したり標識灯点灯装置15から情報を取得する標識灯制御装置（図示せず、以下同じ）に通信可能に接続されている。
【００１５】
標識灯12は、光源としてＬＥＤ素子やＥＬ素子などの半導体発光素子が用いられている。本実施形態では複数のＬＥＤ素子12aが用いられており、標識灯12からは航空機の進行を待機する例えば赤色の光を放射する。
【００１６】
そして、標識灯点灯装置15は、主に標識灯12を点灯制御する主回路18、およびこの主回路18を監視したり標識灯制御装置と通信する動作制御回路19を備えている。
【００１７】
主回路18では、ゴム被覆絶縁変圧器14からの出力電流が、点灯電源回路21に入力され、さらに、カレントトランス22を介して制御電源回路23に入力されるとともに、カレントトランス24を介して電流検出回路25に入力される。
【００１８】
点灯電源回路21は、ゴム被覆絶縁変圧器14からの出力電流を定電流化した点灯電源を標識灯12のＬＥＤ素子12aへ供給するものである。すなわち、点灯電源回路21は、ゴム被覆絶縁変圧器14からの出力電流を整流器26で整流し、負荷調整回路27を経て、平滑器28で平滑し、標識灯12のＬＥＤ素子12aへ供給する。負荷調整回路27は、標識灯12のＬＥＤ素子12aの電流を検出する制御部29によりフィードバック制御され、電流が一定になるように調整する。
【００１９】
点灯電源回路21の平滑器28には、複数の標識灯12のＬＥＤ素子12a、点灯制御回路30、および点灯電流検出回路31の直列回路が接続されている。点灯制御回路30は、例えばスイッチング素子を備え、このスイッチング素子が制御部29によってデューティ制御されることにより、ＬＥＤ素子12aが所定の光度となるようにＬＥＤ素子12aに流れる点灯電流を調整する。点灯電流検出回路31はＬＥＤ素子12aに流れる点灯電流を検出し、点灯検出回路32に出力する。点灯検出回路32では、点灯電流検出回路31により検出された点灯電流に基づいてＬＥＤ素子12aの点灯状態を検出し、この点灯検出情報を制御部29に出力する。
【００２０】
点灯電源回路21には、整流器26の一対の出力端子に、標識灯12のＬＥＤ素子12aへの点灯電源回路21からの点灯電源の供給を遮断するための遮断手段33としてのリレー34が接続されている。このリレー34は、制御電源回路23から電源の供給を受け、動作制御回路19による制御によって遮断動作と遮断解除動作とを切り換える。すなわち、動作制御回路19からのオフ信号を受けたリレー34は、遮断動作（接続動作）して整流器26の一対の出力端子間を接続し、標識灯12のＬＥＤ素子12aをバイパスして標識灯12のＬＥＤ素子12aへの点灯電源回路21からの点灯電源の供給を遮断する。また、動作制御回路19からのオン信号を受けたリレー34は、遮断解除動作（開放動作）して整流器26の一対の出力端子間を開放し、標識灯12のＬＥＤ素子12aへの点灯電源回路21からの点灯電源の供給を可能とする。また、リレー34は、制御電源回路23からの電源の供給がなくなると、自動的に遮断動作（接続動作）する状態となる。
【００２１】
制御電源回路23は、制御部29および動作制御回路19に制御電源を供給するとともにリレー34に動作電源を供給するものである。この制御電源回路23は、ゴム被覆絶縁変圧器14からの出力電流をカレントトランス22を介して整流器35に入力し、整流器35で整流し、負荷調整回路36で電圧を一定に調整して平滑器37で平滑する。平滑器37で平滑された制御電圧は、制御電圧回路38で所定の制御電圧として制御部29に供給する。
【００２２】
そして、制御部29は、ＣＰＵによって構成され、標識灯12のＬＥＤ素子12aの電流が一定になるように負荷調整回路27をフィードバック制御したり、電流検出回路25で検出された電流値に基づいて標識灯12のＬＥＤ素子12aが所定の光度で点灯するように点灯制御回路30を制御するとともに、標識灯制御装置から動作制御回路19を通じて入力される点灯制御信号に基づいて標識灯12のＬＥＤ素子12aを点灯、消灯させるように点灯制御回路30を制御する。なお、標識灯制御装置と制御部29との間では、接続の確認のために定期的に通信接続確認信号を送受信している。
【００２３】
制御部29は、動作制御回路19から上記の点灯制御信号を入力する主回路18の動作を監視して動作監視信号を出力する。
【００２４】
制御部29は、動作制御回路19に対して、制御部29が正常動作している場合にＨレベルの信号とＬレベルの信号とを所定間隔で交互に出力するパルス信号である動作信号を出力したり、異常信号を出力する。異常信号には、点灯制御回路30に対して消灯信号を出力しているにもかかわらず点灯検出回路32で標識灯12のＬＥＤ素子12aの点灯が検出されていると判定した場合に出力する消灯時点灯信号や、通信の異常が判定された場合に出力する通信異常信号などが含まれる。制御部29は、消灯時点灯信号を出力した場合、その後、点灯検出回路32で標識灯12のＬＥＤ素子12aの消灯が検出されても、消灯時点灯信号の出力状態を保持するラッチ回路を有している。
【００２５】
また、動作制御回路19は、通信手段40を有し、この通信手段40が通信コネクタ41を介して標識灯制御装置に通信可能に接続される。通信手段40では、標識灯制御装置から送信されてくる点灯制御信号や通信接続確認信号などの制御信号をスイッチ回路42で受信して制御部29に出力したり、標識灯点灯装置15の動作情報を標識灯制御装置に送信する。
【００２６】
動作制御回路19は、制御部29から動作信号（Ｈレベルの信号とＬレベルの信号とが所定間隔で交互に切り換わるパルス信号）が入力されない場合に制御部29の異常を判定する制御部異常判定回路43、この制御部異常判定回路43からの異常信号および制御部29からの異常信号が入力される強制消灯動作回路44、およびこの強制消灯動作回路44によりオン、オフ制御されるスイッチ回路45を有している。
【００２７】
強制消灯動作回路44は、制御部異常判定回路43および制御部29のいずれからも異常信号が入力されていないとスイッチ回路45をオン制御し、それらのいずれか一方からでも異常信号が入力されるとスイッチ回路45をオフ制御する。そして、スイッチ回路45がオン制御されると、スイッチ回路45からリレー34にオン信号を出力し、そのリレー34が遮断解除動作（開放動作）して整流器26の一対の出力端子間を開放する。また、スイッチ回路45がオフ制御されると、スイッチ回路45からリレー34へのオン信号の出力がなくなり、リレー34が遮断動作（接続動作）して整流器26の一対の出力端子間を接続する。
【００２８】
強制消灯動作回路44でスイッチ回路45を制御する信号は、インターフェース回路46を通じて通信手段40を通じて標識灯制御装置に伝送する。
【００２９】
次に、標識灯システム11の動作を説明する。
【００３０】
まず、標識灯点灯装置15の正常動作時には、制御電源回路23から制御部29および動作制御回路19に制御電源を供給するとともにリレー34に動作電源を供給している。強制消灯動作回路44は異常信号を入力しないことでスイッチ回路45をオン制御し、スイッチ回路45からのオン信号がリレー34に入力し、リレー34が制御電源回路23の電源で遮断解除動作（開放動作）状態にあって整流器26の一対の出力端子間を開放した状態にあり、標識灯12のＬＥＤ素子12aへの点灯電源回路21からの点灯電源の供給が可能となっている。
【００３１】
標識灯制御装置から標識灯点灯装置15に点灯制御信号や通信接続確認信号を含む制御信号を動作制御回路19のスイッチ回路42で受信して制御部29に出力する。
【００３２】
制御部29は、入力された点灯制御信号に基づいて、点灯制御回路30を制御し、標識灯12のＬＥＤ素子12aの点灯、消灯を制御する。さらに、制御部29は、定期的に入力される通信接続確認信号に基づいて、通信接続が正常であることを確認する。また、制御部29は、動作制御回路19の制御部異常判定回路43に対して動作信号（Ｈレベルの信号とＬレベルの信号とを所定間隔で交互に出力するパルス信号）を出力している。
【００３３】
次に、点灯制御回路30の異常発生時の動作を説明する。
【００３４】
点灯制御回路30が故障し、制御部29で点灯制御回路30をオフ制御（消灯制御）しているにもかかわらず、点灯制御回路30がオン状態にあって標識灯12のＬＥＤ素子12aに点灯電流が流れ、標識灯12のＬＥＤ素子12aが点灯状態にあるとする。
【００３５】
この場合、点灯制御回路30以外の回路や制御部29は正常動作している。そのため、点灯電流検出回路31がＬＥＤ素子12aに流れる点灯電流を検出し、点灯検出回路32が点灯電流検出回路31により検出された点灯電流に基づいてＬＥＤ素子12aの点灯を検出し、この点灯検出情報を制御部29に入力する。制御部29は、点灯検出回路32からの点灯検出情報の入力により、点灯制御回路30を消灯制御しているのにＬＥＤ素子12aが点灯していることから点灯制御回路30の異常と判定し、動作制御回路19の強制消灯動作回路44に異常信号である消灯時点灯信号を出力するとともに、制御部29のラッチ回路により消灯時点灯信号の出力状態を保持する。
【００３６】
動作制御回路19の強制消灯動作回路44は、制御部29から入力される消灯時点灯信号の入力によりスイッチ回路45をオフ制御する。
【００３７】
オフ制御されたスイッチ回路45に連動してリレー34が遮断動作（接続動作）し、このリレー34で整流器26の一対の出力端子間を接続し、標識灯12のＬＥＤ素子12aをバイパスして標識灯12のＬＥＤ素子12aへの点灯電源回路21からの点灯電源の供給を遮断する。
【００３８】
これにより、点灯電源回路21からの点灯電源の供給が遮断された標識灯12のＬＥＤ素子12aが消灯する。
【００３９】
なお、リレー34が遮断動作（接続動作）すると、点灯電流検出回路31がＬＥＤ素子12aに流れる点灯電流を検出しなくなり、点灯検出回路32でＬＥＤ素子12aの消灯を検出することになるが、制御部29はラッチ回路により消灯時点灯信号の出力状態を保持し、リレー34が遮断動作（接続動作）状態を維持するため、ＬＥＤ素子12aは消灯し続ける。
【００４０】
このように、標識灯点灯装置15によれば、制御部29が、点灯制御回路30の動作を監視し、点灯制御回路30の異常を判定すると動作制御回路19によりリレー34を遮断動作（接続動作）させ、標識灯12のＬＥＤ素子12aへの点灯電源の供給を遮断するため、点灯制御回路30が故障した場合に、点灯状態にある標識灯12のＬＥＤ素子12aを強制的に消灯させることができる。
【００４１】
次に、制御部29の異常発生時の動作を説明する。
【００４２】
制御部29で動作しているソフトウエアが停止するなどの故障が発生した場合、制御部29の全ての機能が停止し、制御部29は標識灯制御装置からの制御信号の入力や各信号の出力が一切不能になる。この場合、制御部29以外の回路は正常に動作している。
【００４３】
制御部29が停止すると、制御部異常判定回路43に対して出力していた動作信号（Ｈレベルの信号とＬレベルの信号とを所定間隔で交互に出力するパルス信号）を出力しなくなり、Ｈレベルの信号またはＬレベルの信号のいずれか一方のみを出力する。
【００４４】
動作制御回路19の制御部異常判定回路43は、制御部29からＨレベルの信号とＬレベルの信号とが所定間隔で交互に入力されないことで制御部29の異常を判定し、異常信号を強制消灯動作回路44に出力する。強制消灯動作回路44は、制御部異常判定回路43からの異常信号の入力によりスイッチ回路45をオフ制御する。
【００４５】
オフ制御されたスイッチ回路45に連動してリレー34が遮断動作（接続動作）し、このリレー34で整流器26の一対の出力端子間を接続し、標識灯12のＬＥＤ素子12aへの点灯電源回路21からの点灯電源の供給を遮断する。
【００４６】
これにより、標識灯12のＬＥＤ素子12aの点灯状態で制御部29が停止している場合には、リレー34によって標識灯12のＬＥＤ素子12aへの点灯電源回路21からの点灯電源の供給が遮断されるため、標識灯12のＬＥＤ素子12aが消灯する。また、標識灯12のＬＥＤ素子12aの消灯状態で制御部29が停止している場合には、リレー34によって標識灯12への点灯電源回路21からの点灯電源の供給が遮断されるため、標識灯12のＬＥＤ素子12aの消灯状態が維持される。
【００４７】
このように、標識灯点灯装置15によれば、動作制御回路19が、制御部29の動作を監視し、制御部29の異常を判定するとリレー34を遮断動作（接続動作）させ、このリレー34によって標識灯12のＬＥＤ素子12aへの点灯電源の供給を遮断するため、制御部29が故障した場合に、点灯状態にある標識灯12のＬＥＤ素子12aを強制的に消灯させることができる。
【００４８】
次に、制御電源回路23の異常発生時の動作を説明する。
【００４９】
制御電源回路23が故障すると、制御部29および動作制御回路19を含む全ての制御機能が停止する。そのため、制御部29および動作制御回路19は標識灯制御装置からの点灯制御の入力や制御部29からの各信号の出力が一切不能になる。この場合でも、点灯電源回路21は正常に動作し、標識灯12のＬＥＤ素子12aへの点灯電源回路21からの点灯電源の供給が可能な状態にある。
【００５０】
この場合、リレー34に対して制御電源回路23から電源の供給がなくなるため、リレー34はスイッチ回路45の出力に関係なく自動的に遮断動作（接続動作）し、このリレー34で整流器26の一対の出力端子間を接続し、標識灯12のＬＥＤ素子12aをバイパスして標識灯12のＬＥＤ素子12aへの点灯電源回路21からの点灯電源の供給を遮断する。
【００５１】
これにより、点灯電源回路21からの点灯電源の供給が遮断された標識灯12のＬＥＤ素子12aが消灯する。
【００５２】
このように、標識灯点灯装置15によれば、リレー34が、制御電源回路23から電源の供給を受けて動作制御回路19の制御により遮断動作（接続動作）と遮断解除動作（接続解除動作）との切り換えを可能とするとともに、制御電源回路23からの電源の供給が停止すると遮断動作（接続動作）し、標識灯12のＬＥＤ素子12aへの点灯電源の供給を遮断するため、制御電源回路23が故障した場合に、点灯状態にある標識灯12のＬＥＤ素子12aを強制的に消灯させることができる。
【００５３】
次に、通信異常時の動作を説明する。
【００５４】
標識灯制御装置と接続するための通信コネクタ41の接続が外れたり、スイッチ回路42が故障するなどの通信異常が発生すると、標識灯制御装置から定期的に送信されてくる通信接続確認信号が制御部29に入力されなくなる。制御部29は、標識灯制御装置から定期的に送信されてくる通信接続確認信号が入力されなくなると、通信の異常と判定する。
【００５５】
制御部29は、例えば、標識灯12のＬＥＤ素子12aを点灯制御している状態で、通信の異常を判定すると、点灯制御回路30により標識灯12のＬＥＤ素子12aを消灯制御するか、より確実にリレー34を遮断動作（接続動作）させて標識灯12のＬＥＤ素子12aへの点灯電源回路21からの点灯電源の供給を遮断する。
【００５６】
リレー34を遮断動作（接続動作）させる場合には、制御部29から、異常信号として通信異常信号を動作制御回路19の強制消灯動作回路44に出力する。
【００５７】
動作制御回路19の強制消灯動作回路44は、制御部29からの通信異常信号の入力によりスイッチ回路45をオフ制御する。
【００５８】
オフ制御されたスイッチ回路45に連動してリレー34が遮断動作（接続動作）し、このリレー34で整流器26の一対の出力端子間を接続し、標識灯12のＬＥＤ素子12aをバイパスして標識灯12のＬＥＤ素子12aへの点灯電源回路21からの点灯電源の供給を遮断する。
【００５９】
これにより、点灯電源回路21からの点灯電源の供給が遮断された標識灯12のＬＥＤ素子12aが消灯する。
【００６０】
このように、標識灯点灯装置15によれば、制御部29が、通信動作を監視し、通信の異常を判定すると動作制御回路19によりリレー34を遮断動作（接続動作）させ、標識灯12のＬＥＤ素子12aへの点灯電源の供給を遮断するため、通信の異常が発生した場合に、点灯状態にある標識灯12のＬＥＤ素子12aを強制的に消灯させることができる。
【００６１】
以上のように、本実施形態によれば、航空機の進行を許可するために消灯し、航空機の進行を待機させるために点灯する標識灯12を制御する標識灯点灯装置15において、標識灯12のＬＥＤ素子12aの正常な点灯制御ができない場合には標識灯12のＬＥＤ素子12aを強制的に消灯させることができる。
【００６２】
また、リレー34を整流器26の一対の出力端子側に接続しているため、交流定電流制御装置13から制御電源回路23および電流検出回路25への電源の供給を遮断することなく、標識灯12のＬＥＤ素子12aへの点灯電源回路21からの点灯電源の供給を遮断できる。
【００６３】
なお、遮断手段33としては、リレー34に限らず、例えば、他のスイッチ回路などを用いてもよい。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
11    標識灯システム
12    標識灯
15    標識灯点灯装置
19    動作制御回路
21    点灯電源回路
23    制御電源回路
29    制御部
30    点灯制御回路
33    遮断手段
40    通信手段
【図１】
2012204204.tif 000003